(57)【要約】【課題】筐体内部からの光がセンサに入ることを防ぐことが可能なテレビジョン装置を提供する。【解決手段】実施形態によれば、テレビジョン装置は、表示画面を有する表示装置と、前記表示装置が収容され、前記表示画面が露出した第１の面と、前記第１の面の反対側に位置する第２の面と、ドックに対し着脱可能な第１の端部と、前記第１の端部の反対側に位置する第２の端部と、前記第１の端部と前記第２の端部とを繋ぐ第３の端部と、前記第３の端部の反対側に位置する第４の端部とを有する筐体とを備える。さらに、前記テレビジョン装置は、前記筐体内に収容され、前記第１の面側を向いた第１の基板面と、前記第２の面側を向いた第２の基板面とを有する基板と、前記基板の前記第１の基板面上に配置され、それぞれ前記第１から第４の端部側を向いた第１から第４の側面を有するセンサと、前記センサの前記第１から第４の側面を取り囲む遮光部材とを備える。【選択図】図４
2012216927.tif 000002
【特許請求の範囲】
【請求項１】
表示画面を有する表示装置と、
前記表示装置が収容され、前記表示画面が露出した第１の面と、前記第１の面の反対側に位置する第２の面と、ドックに対し着脱可能な第１の端部と、前記第１の端部の反対側に位置する第２の端部と、前記第１の端部と前記第２の端部とを繋ぐ第３の端部と、前記第３の端部の反対側に位置する第４の端部とを有し、前記第１の面を有する第１の筐体部材と、前記第２の面を有する第２の筐体部材とを備える筐体と、
前記筐体内に収容され、前記第１の面側を向いた第１の基板面と、前記第２の面側を向いた第２の基板面とを有する基板と、
前記基板の前記第１の基板面上に配置され、それぞれ前記第１から第４の端部側を向いた第１から第４の側面を有するセンサと、
前記センサの前記第１から第４の側面を取り囲む遮光部材と、
を備えるテレビジョン装置。
【請求項２】
前記遮光部材は、前記第１の筐体部材上に配置され、前記基板と離間されている請求項１に記載のテレビジョン装置。
【請求項３】
前記遮光部材の前記基板側を向いた面は、前記基板の前記第１の基板面上に形成された絶縁膜と対向しており、かつ前記絶縁膜と離間されている請求項２に記載のテレビジョン装置。
【請求項４】
前記遮光部材は、前記基板上に配置され、前記第１の筐体部材と離間されている請求項１に記載のテレビジョン装置。
【請求項５】
前記遮光部材の前記第１の筐体部材側を向いた面は、前記第１の筐体部材の前記基板側の面上に形成された絶縁膜と対向しており、かつ前記絶縁膜と離間されている請求項４に記載のテレビジョン装置。
【請求項６】
前記第１の筐体部材の前記基板側の面は、
第１の塗装材で塗装された第１領域と、
前記第１の塗装材と材料又は濃度の異なる第２の塗装材で塗装された第２領域とを有し、
前記センサは、前記第２領域と対向する位置に配置されている請求項１から５のいずれか１項に記載のテレビジョン装置。
【請求項７】
前記センサは、前記第２の端部に配置されている請求項１から６のいずれか１項に記載のテレビジョン装置。
【請求項８】
前記第１の端部に配置されたバイブレータをさらに備える請求項７に記載のテレビジョン装置。
【請求項９】
前記第３の端部に配置されたカメラをさらに備え、
前記センサは、前記第３の端部と前記第４の端部との中心線よりも前記第３の端部側に配置されている請求項７又は８に記載のテレビジョン装置。
【請求項１０】
筐体と、
前記筐体内に収容された基板と、
前記基板に配置されたセンサと、
前記センサを囲み、前記基板と離間されて前記筐体の内面に設けられた、又は前記筐体の内部と離間されて前記基板に設けられた囲部と、
を備える電子機器。
【発明の詳細な説明】
【技術分野】
【０００１】
本発明の実施形態は、テレビジョン装置及び電子機器に関する。
【背景技術】
【０００２】
テレビジョン装置のなかには、環境光の照度を測定するための照度センサを備えるものがある。
【先行技術文献】
【特許文献】
【０００３】
【特許文献１】特開２００４−２７４３６５号公報
【発明の概要】
【発明が解決しようとする課題】
【０００４】
テレビジョン装置の筐体内部からの光が照度センサに入ると、照度センサは、環境光の照度を正確に測定することができなくなる。
【０００５】
本発明の目的は、筐体内部からの光がセンサに入ることを防ぐことが可能なテレビジョン装置及び電子機器を提供することである。
【課題を解決するための手段】
【０００６】
一の実施形態によれば、テレビジョン装置は、表示画面を有する表示装置と、前記表示装置が収容され、前記表示画面が露出した第１の面と、前記第１の面の反対側に位置する第２の面と、ドックに対し着脱可能な第１の端部と、前記第１の端部の反対側に位置する第２の端部と、前記第１の端部と前記第２の端部とを繋ぐ第３の端部と、前記第３の端部の反対側に位置する第４の端部とを有し、前記第１の面を有する第１の筐体部材と、前記第２の面を有する第２の筐体部材とを備える筐体とを備える。さらに、前記テレビジョン装置は、前記筐体内に収容され、前記第１の面側を向いた第１の基板面と、前記第２の面側を向いた第２の基板面とを有する基板と、前記基板の前記第１の基板面上に配置され、それぞれ前記第１から第４の端部側を向いた第１から第４の側面を有するセンサとを備える。さらに、前記テレビジョン装置は、前記センサの前記第１から第４の側面を取り囲む遮光部材を備える。
【０００７】
また、別の実施形態によれば、電子機器は、筐体と、前記筐体内に収容された基板と、前記基板に配置されたセンサとを備える。さらに、前記電子機器は、前記センサを囲み、前記基板と離間されて前記筐体の内面に設けられた、又は前記筐体の内部と離間されて前記基板に設けられた囲部を備える。
【図面の簡単な説明】
【０００８】
【図１】第１実施形態のテレビジョン装置の外観を示す斜視図である。
【図２】第１実施形態のテレビジョン装置の外観を示す六面図である。
【図３】第１の筐体部材の構成を示す背面図である。
【図４】第１実施形態のテレビジョン装置の内部構成を示す正面図である。
【図５】第１実施形態のテレビジョン装置の内部構成を示す背面図である。
【図６】照度センサ付近の構成を拡大して示した拡大正面図である。
【図７】図６に示すＡ−Ａ線に沿った断面図である。
【図８】図６に示すＡ−Ａ線に沿った断面図（変形例）である。
【図９】図６に示すＢ−Ｂ線に沿った断面図である。
【図１０】据え置き型のテレビジョン装置の外観を示す正面図である。
【図１１】ノートブック型のＰＣの外観を示す斜視図である。
【発明を実施するための最良の形態】
【０００９】
以下、本発明の実施形態を、図面を参照して説明する。
【００１０】
（第１実施形態）
図１は、第１実施形態のテレビジョン装置１の外観を示す斜視図である。テレビジョン装置１は、携帯型のテレビジョン装置であり、ドック２に対し着脱可能なよう構成されている。テレビジョン装置１は、ドック２に装着された状態でも、ユーザが手に持った状態でも使用可能である。
【００１１】
図１に示すように、テレビジョン装置１は、ドック２に装着されて保持される。ドック２は、本体部３と、保持部４とを有する。本体部３は、例えば外部接続端子を有し、テレビジョン装置１に電源を供給する電源部を有する。また、保持部４は、本体部３の上面に設けられ、テレビジョン装置１を保持する。テレビジョン装置１は、例えば傾斜させられた姿勢で保持される。
【００１２】
図２は、第１実施形態のテレビジョン装置１の外観を示す六面図である。
【００１３】
図２(ａ)は、テレビジョン装置１の正面図である。また、図２(ｂ)、(ｃ)、(ｄ)、(ｅ)はそれぞれ、テレビジョン装置１の上面図、下面図、左側面図、右側面図である。また、図２(ｆ)は、テレビジョン装置１の背面図である。
【００１４】
本明細書では、筐体５がドック２に保持された姿勢を基準に上下を定義している（図１を参照）。また、ユーザからの視点を基準に左右を定義している。さらに、ユーザに近い方を「前」、ユーザから遠い方を「後」と定義している。
【００１５】
図２に示すように、テレビジョン装置１は、筐体５を有する。筐体５は、角部に丸みを有する扁平な矩形形状に形成されている。筐体５は、第１から第４の端部１１、１２、１３、１４を有する。
【００１６】
第１の端部１１は、ドック２の保持部４に対し着脱可能な端部である。第２の端部１２は、第１の端部１１の反対側に位置し、第１の端部１１と略平行に延びている。また、第３の端部１３は、第１の端部１１と第２の端部１２とを繋ぐ端部であり、第１の端部１１と略直交する方向に延びている。第４の端部１４は、第３の端部１３の反対側に位置し、第３の端部１３と略平行に延びている。第４の端部１４は、第３の端部１３と同様、第１の端部１１と第２の端部１２とを繋いでいる。
【００１７】
第１及び第２の端部１１、１２は、筐体５の長手方向に延びる端部である。一方、第３及び第４の端部１３、１４は、筐体５の短手方向に延びる端部であり、第１及び第２の端部１１、１２よりも短い。
【００１８】
筐体５がドック２に保持されている場合（図１を参照）、第１の端部１１、第２の端部１２、第３の端部１３、第４の端部１４はそれぞれ、筐体５の下端部、上端部、左端部、右端部となる。筐体５がドック２に保持されている場合、第１及び第２の端部１１、１２は、略水平になる。一方、第３及び第４の端部１３、１４は、机上面Ｓに対して起立した状態となる。
【００１９】
図１及び図２に示すように、筐体５は、フロント面１６と、バック面１７と、周面１８を有する。また、筐体５は、第１の筐体部材５ａと、第２の筐体部材５ｂを備えている。フロント面１６は、第１の筐体部材５ａにより形成され、バック面１７と周面１８は、第２の筐体部材５ｂにより形成されている。本実施形態では、第１の筐体部材５ａは、ガラスで形成されており、第２の筐体部材５ｂは、ガラス以外の素材（例えば、プラスチック又は金属）で形成されている。
【００２０】
筐体５には、表示装置２１が収容されている。表示装置２１は、映像が表示される表示画面２１ａを有する。表示画面２１ａは、タッチパネルが設けられて、入力機能を有していてもよい。筐体５のフロント面１６には、開口部１６ａが設けられており、この開口部１６ａを通じて表示画面２１ａが露出されている。
【００２１】
バック面１７は、フロント面１６の反対側に位置する。バック面１７のサイズは、フロント面１６のサイズよりも一回り小さい。周面１８は、フロント面１６の周縁部とバック面１７の周縁部とを繋ぐ曲面形状の面である。フロント面１６、バック面１７、周面１８はそれぞれ、第１の面、第２の面、第３の面の一例である。
【００２２】
なお、本実施形態では、筐体５は、４つの端部１１〜１４を有しているが、筐体５の端部の個数は、３つ以下でもよいし、５つ以上でもよい。また、第１の端部１１と第２の端部１２は、非平行に延びていてもよく、同様に、第３の端部１３と第４の端部１４は、非平行に延びていてもよい。
【００２３】
また、本実施形態では、筐体５は、フロント面１６、バック面１７、及び周面１８を有する面構造を有しているが、筐体５は、上記以外の面構造を有していてもよい。
【００２４】
また、本実施形態では、筐体５は、２つの筐体部材５ａ、５ｂを備えているが、筐体５を構成する筐体部材の個数は、１つのみでもよいし、３つ以上でもよい。
【００２５】
図３は、第１の筐体部材５ａの構成を示す背面図である。図３には、フロント面１６を背面側から見た様子、即ち、バック面１７側から見た様子が示されている。
【００２６】
フロント面１６は、開口部１６ａと、開口部１６ａの周囲を取り囲む遮光部１６ｂと、遮光部１６ｂ内に設けられた光透過部１６ｃとを有する。
【００２７】
遮光部１６ｂは、第１の筐体部材５ａの背面を、遮光性のある第１の塗装材で塗装することで形成される。よって、遮光部１６ｂは、筐体５の外部からの環境光が筐体５の内部に入ることを防ぐ作用がある。第１の塗装材は例えば、黒色のインクである。遮光部１６ｂは、第１領域の一例である。
【００２８】
光透過部１６ｃは、第１の筐体部材５ａの背面を、第１の塗装材と材料又は濃度の異なる第２の塗装材で塗装することで形成される。光透過部１６ｃは、後述する照度センサ７１が環境光の照度を測定できる程度に、環境光が透過できるように構成される。ただし、遮光部１６ｂと光透過部１６ｃの色が大きく異なると、テレビジョン装置１のデザイン性が損なわれるため、第２の塗装材は、第１の塗装材と色の近い塗装材とすることが望ましい。第２の塗装材は例えば、第１の塗装材と材料又は濃度の異なる黒色のインクである。光透過部１６ｃは、第２領域の一例である。
【００２９】
なお、第１及び第２の塗装材は、第１の筐体部材５ａの正面（外面）側に塗装してもよいが、本実施形態のように、第１の筐体部材５ａの背面（内面）側に塗装する方が望ましい。理由は、正面側に塗装すると、ユーザがテレビジョン装置１を手に持つことで、これらの塗装材が剥がれるおそれがあるからである。
【００３０】
図３に示すように、第１の筐体部材５ａの背面には、光透過部１６ｃを取り囲むように遮光部材７５が設けられている。遮光部材７５は、後述する照度センサ７１の周囲を取り囲む位置に設置されている。遮光部材７５は例えば、第１の塗装材で塗装されたガラス部材であり、第１の筐体部材５ａと共に成形される。遮光部材７５は、囲部の例である。
【００３１】
図４及び図５はそれぞれ、第１実施形態のテレビジョン装置１の内部構成を示す正面図及び背面図である。符号ＣＬ1は、第１の端部１１と第２の端部１２との中心線を表し、符号ＣＬ2は、第３の端部１３と第４の端部１４との中心線を表す。
【００３２】
ユーザは、テレビジョン装置１を手に持って観る場合、第１及び第２の端部１１、１２を水平にして観ることと、第１及び第２の端部１１、１２を垂直にして観ることが可能である。
【００３３】
前者の場合、第１の端部１１、第２の端部１２、第３の端部１３、第４の端部１４はそれぞれ、筐体５の下端部、上端部、左端部、右端部となる。また、この場合には、ユーザは、一般的に、Ｈ1で示す部分を右手で持ち、Ｈ2で示す部分を左手で持つと想定される。部分Ｈ1は、第４の端部１４における、中心線ＣＬ1よりも第１の端部１１側の領域に相当する。一方、部分Ｈ2は、第３の端部１３における、中心線ＣＬ1よりも第１の端部１１側の領域に相当する。
【００３４】
また、後者の場合、第１の端部１１、第２の端部１２、第３の端部１３、第４の端部１４はそれぞれ、筐体５の左端部、右端部、上端部、下端部となる。また、この場合には、ユーザは、一般的に、Ｈ3で示す部分を右手で持ち、Ｈ4で示す部分を左手で持つと想定される。部分Ｈ3は、第２の端部１２における、中心線ＣＬ2よりも第４の端部１４側の領域に相当する。一方、部分Ｈ4は、第１の端部１１における、中心線ＣＬ2よりも第４の端部１４側の領域に相当する。
【００３５】
図４及び図５に示すように、筐体５内には、メイン回路基板２２、バッテリ２３、ドッキングコネクタ２４、バイブレーションモジュール２５、スイッチモジュール２６、スロット２７、カメラモジュール２８、マイク２９、ＬＥＤ（Light Emitting Diode）３０、複数のアンテナ３１、３２、３３、３４、３５、及び複数のコネクタ３６、３７、３８、３９、４０が収容されている。
【００３６】
メイン回路基板２２は、筐体５内で第４の端部１４寄りの位置に配置されている。具体的には、メイン回路基板２２は、中心線ＣＬ2よりも第４の端部１４側に重心が位置するよう配置されている。理由は、コネクタ３６〜４０を第４の端部１４に配置する関係上、メイン回路基板２２は第４の端部１４のそばに配置することが望ましいからである。メイン回路基板２２には、ＣＰＵ（Central Processing Unit）やその他の電子部品が実装されている。
【００３７】
一方、バッテリ２３は、筐体５内で第３の端部１３寄りの領域に配置されている。具体的には、バッテリ２３は、中心線ＣＬ2よりも第３の端部１３側に重心が位置するよう配置されている。理由は、メイン回路基板２２とバッテリ２３はサイズが大きいため、メイン回路基板２２を第４の端部１４寄りの領域に配置すると、バッテリ２３が配置可能な領域は、第３の端部１３寄りの領域に限定されるからである。
【００３８】
ドッキングコネクタ２４は、筐体５内の第１の端部１１に配置されており、ドック２のコネクタに接続される。ドッキングコネクタ２４は、ドッキング時における表示画面２１ａの横幅を縦幅よりも長くするため、筐体５の長手方向に延びる第１の端部１１に配置されている。筐体５は、ドッキングコネクタ２４に対応した開口部１８ａを周面１８に有する。ドッキングコネクタ２４は、開口部１８ａを通じて筐体５の外部に露出されている。
【００３９】
バイブレーションモジュール２５は、筐体５内の第１の端部１１に配置されており、テレビジョン装置１を振動させる際に使用される。後述するセンサ７１、７２、７３が、第２の端部１２に配置されるため、バイブレーションモジュール２５は、その反対側の第１の端部１１に配置されている。これにより、バイブレーションモジュール２５の振動がセンサ７１、７２、７３の感度を低下させることを抑制することが可能となる。
【００４０】
スイッチモジュール２６は、筐体５内の第２の端部１２に配置されている。スイッチモジュール２６は、回路基板７０と、回路基板７０上に実装された複数のスイッチとを有する。筐体５の周面１８には、スイッチモジュール２６に対応した複数のボタン４１が設けられている。これらのボタン４１が押されることで、テレビジョン装置１は種々の入力を受け付ける。
【００４１】
スイッチモジュール２６を第２の端部１２に配置する理由は、以下の通りである。スイッチモジュール２６を第１の端部１１に配置すると、ドッキング時にスイッチモジュール２６がドック２内に隠れてしまうという問題がある。また、第３、第４の端部１３、１４には、カメラモジュール２８や、コネクタ３６〜４０が配置されるため、第３、第４の端部１３、１４にスイッチモジュール２６の配置場所を確保することは難しいという問題がある。
【００４２】
また、スイッチモジュール２６は、第２の端部１２において、中心線ＣＬ2よりも第３の端部１３側に配置されている。理由は、中心線ＣＬ2よりも第４の端部１４側に配置すると、ユーザが右手で領域Ｈ3を持つ際に、ボタン４１が邪魔になるからである。なお、スイッチモジュール２６が第２の端部１２に配置されると、ユーザがテレビジョン装置１を領域Ｈ3、Ｈ4を持って観る際に、ボタン４１を右手で操作することが可能となる。
【００４３】
スロット２７は、筐体５内の第２の端部１２に配置されている。具体的には、スロット２７は、第２の端部１２において、中心線ＣＬ2よりも第４の端部１４側に配置されている。スロット２７は例えば、ＳＤカード（登録商標）用のメモリカードスロットである。スロット２７は、メイン回路基板２２上に実装されている。
【００４４】
カメラモジュール２８は、筐体５内の第３の端部１３に配置されており、主に、ユーザがテレビジョン装置１を領域Ｈ3、Ｈ4を持って観る際に使用される。カメラモジュール２８を第３の端部１３に配置する理由は、ユーザがテレビジョン装置１を持って観る際に、カメラモジュール２８が上端部にあると撮影しやすいからである。
【００４５】
カメラモジュール２８は、回路基板５０、第１のカメラ５１、第１のコネクタ５２、第２のコネクタ５３、第２のカメラ５４、及びフレキシブルプリント回路板５５を備える。さらに、カメラモジュール２８は、図１や図２に示すように、第１の撮影孔６１、周音孔６２、表示孔６３、第２の撮影孔６４、カメラ部６６、及び加飾部材６７を備える。回路基板５０上には、マイク２９とＬＥＤ３０が配置されている。
【００４６】
アンテナ３１〜３５のうち、アンテナ３１〜３３は、筐体５の第２の端部１２に配置されている。また、アンテナ３４、３４は、筐体５の第３の端部１３に配置されている。アンテナ３１〜３５はそれぞれ、Ｗ−ＬＡＮ用、３Ｇ（第３世代移動通信方式）用、Ｂｌｕｅｔｏｏｔｈ（登録商標）用、３Ｇ用、ＧＰＳ用である。カメラモジュール２８は、２つのアンテナ３４、３５の間に配置され、中央線ＣＬ1上に配置されている。
【００４７】
コネクタ３６〜４０は、筐体５内の第４の端部１４に配置されている。カメラモジュール２８が第３の端部１３に配置されるため、コネクタ３６〜４０は、残りの端部である第４の端部１４に配置されている。コネクタ３６〜４０はそれぞれ、ＭｉｎｉＵＳＢ用、ＨＤＭＩ（High-Definition Multimedia Interface）用、ＵＳＢ用、オーディオ用、電源用である。コネクタ３６〜４０は、メイン回路基板上２２に実装されている。
【００４８】
テレビジョン装置１はさらに、テレビジョン装置１を操作するための複数のボタン４２を備えている（図１、図２を参照）。ボタン４２は、フロント面１６の遮光部１６ｂ内に配置されており、第４の端部１４に配置されている。
【００４９】
（１）センサ７１〜７３の詳細
次に、図４及び図５を参照し、センサ７１〜７３について説明する。
【００５０】
図４及び図５に示すように、筐体５内にはさらに、照度センサ７１、近接センサ７２、赤外線センサ７３、ＬＥＤ７４、及び遮光部材７５が収容されている。これらの部品７１〜７５は、筐体内の第２の端部に配置されており、中心線ＣＬ2よりも第３の端部１３側に配置されている。
【００５１】
照度センサ７１、近接センサ７２、赤外線センサ７３、及びＬＥＤ７４は、スイッチモジュール２６用の回路基板７０上に配置されている。具体的には、回路基板７０は、フロント面１６側を向いた第１の基板面と、バック面１７側を向いた第２の基板面とを有し、これらの部品７１〜７４は、第１の基板面上に配置されている。
【００５２】
センサ７１〜７３を第２の端部１２に配置する理由は、以下の通りである。センサ７１〜７３を第１の端部１１に配置すると、ドッキング時にセンサ７１〜７３がドック２内に隠れてしまうという問題がある。また、第３、第４の端部１３、１４には、カメラモジュール２８や、コネクタ３６〜４０が配置されるため、第３、第４の端部１３、１４に回路基板７０の配置場所を確保することは難しいという問題がある。
【００５３】
また、センサ７１〜７３は、第２の端部１２において、中心線ＣＬ2よりも第３の端部１３側に配置されている。理由は、中心線ＣＬ2よりも第４の端部１４側に配置すると、ユーザが右手で領域Ｈ3を持つ際に、センサ７１〜７３が右手の下に隠れてしまうからである。
【００５４】
また、センサ７１〜７３は、回路基板７０の第１及び第２の基板面のうち、第１の基板面上に配置されている。理由は、照度センサ７１、赤外線センサ７３はそれぞれ、第１の筐体部材５ａを透過した光、赤外線を測定するため、第２の基板面上に配置するのは不都合だからである。
【００５５】
また、センサ７１〜７３は、同じ基板（回路基板７０）上に互いに近接して配置されている。理由は、センサ７１〜７３を互いに遠くに配置すると、ユーザがテレビジョン装置１を持つ際に、持つことが可能な領域が狭く限定されてしまうからである。
【００５６】
図６は、センサ７１〜７３付近の構成を拡大して示した拡大正面図である。
【００５７】
図６に示すように、照度センサ７１は、それぞれ第１〜第４の端部１１〜１４側を向いた第１〜第４の側面８１ａ〜８１ｄを有している。また、近接センサ７２は、それぞれ第１〜第４の端部１１〜１４側を向いた第１〜第４の側面８２ａ〜８２ｄを有している。また、赤外線センサ７３は、それぞれ第１〜第４の端部１１〜１４側を向いた第１〜第４の側面８３ａ〜８３ｄを有している。
【００５８】
これらのセンサ７１〜７３は、いずれも四角形の平面形状を有している。また、赤外線センサ７３の平面形状のサイズは、照度センサ７１や近接センサ７２の平面形状のサイズよりも大きく設計されている。
【００５９】
センサ７１〜７３は、第１の側面８１ａ〜８３ａが揃えて配置されている。即ち、第１の側面８１ａ〜８３ａは、第１の端部１１との距離が略等距離に設定されている。また、センサ７１〜７３は、赤外線センサ７３の第２の側面８３ｂが、照度センサ７１、近接センサ７２の第２の側面８１ｂ、８２ｂよりも突き出すように配置されている。このような配置には、センサ７１〜７３とバッテリ２３とがぶつかって配置されるおそれを低減できるという利点がある。理由は、逆に赤外線センサ７３の第１の側面８３ａが、照度センサ７１、近接センサ７２の第１の側面８１ａ、８２ａよりも突き出ていると、赤外線センサ７３がバッテリ２３にぶつかる可能性が高いからである。
【００６０】
次に、照度センサ７１と遮光部材７５との位置関係について説明する。
【００６１】
図６に示すように、遮光部材７５は、照度センサ７１の第１〜第４の側面８１ａ〜８１ｄを取り囲むように配置されている。そのため、筐体５の内部から照度センサ７１に向かう光は、遮光部材７５でブロックされる。よって、本実施形態によれば、筐体５の内部からの光が照度センサ７１に入ることを防ぐことが可能となる。
【００６２】
筐体５の内部からの光の例としては、ＬＥＤ７４からの光が挙げられる。さらなる例としては、表示装置２１からの光や、ＬＥＤ３０（図４を参照）等が挙げられる。表示装置２１がＬＣＤ（Liquid Crystal Display）である場合には、ＬＣＤバックライトの光が例として挙げられる。
【００６３】
なお、本実施形態では、照度センサ７１を、遮光性のある囲部である遮光部材７５で取り囲んでいるが、同様に、赤外線センサ７３を、赤外線センサ７３用の囲部、例えば、赤外線遮断性のある囲部で取り囲んでもよい。同様に、近接センサ７２を、近接センサ７２用の囲部で取り囲んでもよい。また、本実施形態では、１個の遮光部材７５で、照度センサ７１のみを取り囲んでいるが、照度センサ７１、近接センサ７２、及び赤外線センサ７３を、１個の遮光部材７５でまとめて取り囲んでもよい。
【００６４】
図７は、図６に示すＡ−Ａ線に沿った断面図である。
【００６５】
図７には、第１の筐体部材５ａの遮光部１６ｂと光透過部１６ｃが示されている。符号Ｓ2は、遮光部１６ｂの裏面を示し、符号Ｓ1は、光透過部１６ｃの裏面を示す。遮光部１６ｂの裏面Ｓ2は、環境光をブロックする第１の塗装材で塗装されている。また、光透過部１６ｃの裏面Ｓ1は、環境光が透過可能な第２の塗装材で塗装されている。
【００６６】
図７に示すように、遮光部材７５は、第１の筐体部材５ａの裏面に、光透過部１６ｃを取り囲むように設置されている。また、照度センサ７１は、実装基板７０上において、光透過部１６ｃと対向する位置に配置されており、遮光部材７５に取り囲まれている。
【００６７】
よって、照度センサ７１には、筐体５の外部からの環境光が、光透過部１６ｃを介して照射される。一方、筐体５の内部から照度センサ７１に向かう光は、遮光部材７５でブロックされる。よって、本実施形態によれば、照度センサ７１は、環境光の照度を正確に測定することが可能となる。
【００６８】
符号Ｓ4は、遮光部材７５の内壁面、即ち、照度センサ７１側の面を示す。一方、符号Ｓ3は、遮光部材７５の外壁面、即ち、照度センサ７１と逆側の面を示す。また、符号Ｓ5は、遮光部材７５の底面、即ち、実装基板７０側の面を示す。
【００６９】
本実施形態では、遮光部材７５のこれらの面Ｓ3〜Ｓ5が、第１の塗装材で塗装されている。ただし、底面Ｓ5は塗装しないことにしても構わない。また、内壁面Ｓ4と外壁面Ｓ3は、いずれか一方だけを第１の塗装材で塗装することにしても構わない。また、遮光部材７５の面Ｓ3〜Ｓ5は、第１の塗装材と材料又は濃度が異なり、遮光性のある第３の塗装材で塗装しても構わない。
【００７０】
また、遮光部材７５は、第１の筐体部材５ａと同じ素材で形成してもよいし、第１の筐体部材５ａとは異なる素材で形成してもよい。前者の場合、遮光部材７５は、第１の筐体部材５ａと共に成形することで容易に製造可能である。一方、後者の場合には、遮光部材７５は、例えば、第１の筐体部材５ａの裏面に接着剤で接着される。遮光部材７５を第３の塗装材で塗装するケースとしては、主に、後者の場合が想定される。また、後者の場合には、遮光部材７５全体を、遮光性のある素材で形成してもよい。
【００７１】
なお、本実施形態では、環境光の照度を測定する照度センサ７１を、遮光部材７５で取り囲んでいるが、光を検知するその他のセンサを、遮光部材７５で取り囲むようにしてもよい。これにより、当該センサは、検知対象の光を正確に検知することが可能となる。
【００７２】
次に、遮光部材７５と実装基板７０との位置関係について説明する。
【００７３】
図７に示すように、遮光部材７５は、第１の筐体部材５ａ上に、実装基板７０と離間されて配置されている。即ち、遮光部材７５の底面Ｓ5は、実装基板７０の上面（第１の基板面）と離間されている。
【００７４】
遮光部材７５を実装基板７０と離間させる理由は、次の通りである。一般に、第１の筐体部材５ａは、比較的剛性の高い素材で形成され、実装基板７０は、比較的合成の低い素材で形成される。そのため、遮光部材７５が実装基板７０に接触していると、実装基板７０が変形し、実装基板７０がダメージを受けるおそれがある。また、遮光部材７５が導電性材料で形成されている場合には、遮光部材７５が実装基板７０に接触していると、実装基板７０上の配線と遮光部材７５とがショートする可能性がある。そこで、本実施形態では、遮光部材７５と実装基板７０を離間させることで、これらの問題を回避している。
【００７５】
また、図７に示すように、実装基板７０の第１の基板面側には、配線保護用の絶縁膜７６が形成されており、絶縁膜７６が、第１の基板面を形成している。そして、遮光部材７５の底面Ｓ5は、絶縁膜７６と対向しており、かつ絶縁膜７６と離間されている。
【００７６】
遮光部材７５を、絶縁膜７６と対向させ、かつ絶縁膜７６と離間させる理由は、次の通りである。遮光部材７５と絶縁膜７６を離間させる理由は、実装基板７０が変形し、実装基板７０がダメージを受けることを避けるためである。また、遮光部材７５を絶縁膜７６と対向させる理由は、第１の筐体部材５ａの変形等により一時的に遮光部材７５と第１の基板面が接触した場合にも、実装基板７０上の配線と遮光部材７５とのショートを絶縁膜７６により防ぐことができるためである。
【００７７】
なお、遮光部材７５は、第１の筐体部材５ａ上に代えて、実装基板７０上に配置しても構わない。このような遮光部材７５の配置の一例について、図８を参照して説明する。
【００７８】
（２）第１実施形態の変形例
図８は、図７と同様、図６に示すＡ−Ａ線に沿った断面図である。ただし、遮光部材は符号７７で示され、絶縁膜は符号７８で示されている。
【００７９】
図８に示すように、遮光部材７７は、実装基板７０の上面（第１の基板面）に、光透過部１６ｃと上下方向に重なるように設置されている。また、照度センサ７１は、実装基板７０上において、遮光部材７７に取り囲まれる位置に配置されており、光透過部１６ｃと対向している。
【００８０】
よって、照度センサ７１には、筐体５の外部からの環境光が、光透過部１６ｃを介して照射される。一方、筐体５の内部から照度センサ７１に向かう光は、遮光部材７７でブロックされる。よって、本実施形態によれば、照度センサ７１は、環境光の照度を正確に測定することが可能となる。
【００８１】
符号Ｓ7、Ｓ6はそれぞれ、遮光部材７７の内壁面、外壁面を示す。また、符号Ｓ8は、遮光部材７７の上面、即ち、第１の筐体部材５ａ側の面を示す。本実施形態では、これらの面Ｓ6〜Ｓ8は、第１の塗装材で塗装されている。
【００８２】
次に、遮光部材７７と第１の筐体部材５ａとの位置関係について説明する。
【００８３】
図８に示すように、遮光部材７７は、実装基板７０上に、第１の筐体部材５ａと離間されて配置されている。即ち、遮光部材７７の上面Ｓ8は、第１の筐体部材５ａの裏面と離間されている。これにより、図７の場合と同様、実装基板７０が変形し、実装基板７０がダメージを受けることが回避される。
【００８４】
また、図８に示すように、第１の筐体部材５ａの裏面側には、筐体保護用の絶縁膜７８が形成されており、絶縁膜７８が、筐体の裏面を形成している。そして、遮光部材７７の上面Ｓ8は、絶縁膜７８と対向しており、かつ絶縁膜７８と離間されている。これにより、図７の場合と同様、実装基板７０の変形や、第１の筐体部材５ａと遮光部材７５とのショートが防止される。
【００８５】
以上のように、図８の構成によれば、図７の構成と同様のメリットを享受することができる。
【００８６】
（３）実装基板７０上の部品配置の詳細
次に、図９を参照して、実装基板７０上の部品配置の詳細について説明する。図９は、図６に示すＢ−Ｂ線に沿った断面図である。
【００８７】
図９に示すように、実装基板７０は、下面（第２の基板面）をバック面１７から浮かせて配置されている。より詳細には、実装基板７０は、メイン回路基板２２よりも上方、即ち、メイン回路基板２２よりもフロント面１６との距離が小さくなるように配置されている。これには、実装基板７０の上面側だけでなく、実装基板７０の下面側にも部品を実装できるという利点がある。さらには、第１の筐体部材５ａと照度センサ７１との距離が近付き、照度センサ７１が環境光を受光しやすくなるという利点がある。
【００８８】
符号４１は、実測基板７０の下面側に実装されたボタンを示す。ボタン４１は、筐体５の周面１８に設けられた孔を通るよう配置されている。直線Ｌは、フロント面１６の周縁部の位置を示している。ボタン４１は、直線Ｌよりも外側、即ち、フロント面１６の周縁部よりも外側に突き出ないよう配置されている。理由は、ボタン４１が直線Ｌよりも外側に突き出ていると、フロント面１６の方向からボタン４１が見えて、デザイン性が悪いからである。
【００８９】
最後に、第１実施形態の効果について説明する。
【００９０】
本実施形態では、遮光部材７５（又は７７。以下同様）が、照度センサ７１を取り囲むように配置されている。そのため、筐体５の内部から照度センサ７１に向かう光は、遮光部材７５でブロックされる。よって、本実施形態によれば、筐体５の内部からの光が照度センサ７１に入ることを防ぐことが可能となる。
【００９１】
また、本実施形態では、遮光部材７５が、実装基板７０と離間されて第１の筐体部材５ａ上に配置されている、又は第１の筐体部材５ａと離間されて実装基板７０上に配置されている。よって、本実施形態によれば、遮光部材７０が実装基板７０を変形させ、実装基板７０にダメージを与えることを抑制することができる。
【００９２】
また、本実施形態では、遮光部材７５は、実装基板７０上又は第１の筐体部材５ａ上の絶縁膜７６（又は７８。以下同様）と対向しており、かつ絶縁膜７６と離間されている。よって、本実施形態によれば、第１の筐体部材５ａの変形等により一時的に遮光部材７５と実装基板７０又は第１の筐体部材５ａが接触した場合にも、これらの間のショートを絶縁膜７６により防ぐことができる。
【００９３】
なお、本実施形態では、センサ７１〜７３は、実装基板７０の第１の基板面上に配置されているが、実装基板７０のその他の箇所に配置してもよい。例えば、センサ７１〜７３は、実装基板７０の第２の基板面上に配置してもよい。この場合、光透過部１６ｃは、バック面１７又は周面１８に形成される。
【００９４】
以下、第１実施形態の変形例である第２実施形態について、第１実施形態との相違点を中心に説明する。
【００９５】
（第２実施形態）
第１実施形態は、テレビジョン装置１以外の電子機器にも適用可能である。第２実施形態では、このような電子機器の例について説明する。
【００９６】
本実施形態の電子機器の例としては、ＰＣ（Personal Computer）、携帯電話、スマートフォン、ＰＤＡ（Personal Digital Assistant）、ゲーム機等が挙げられる。また、ＰＣの例としては、ノートブック型やスレート型のＰＣが挙げられる。また、本実施形態の電子機器は、据え置き型のテレビジョン装置であっても構わない。
【００９７】
図１０は、据え置き型のテレビジョン装置９１の外観を示す正面図である。
【００９８】
図１０には、筐体５と、表示画面２１ａを有する表示装置２１が示されている。図１０にはさらに、フロント面１６の開口部１６ａ、遮光部１６ｂ、及び光透過部１６ｃが示されている。図１０のテレビジョン装置９１は、本実施形態の電子機器の例である。
【００９９】
図１１は、ノートブック型のＰＣ９２の外観を示す斜視図である。
【０１００】
図１１のＰＣ９２は、第１の本体部９３と、第２の本体部９４とを備えている。また、第１の本体部９３は、筐体９５、キーボード９６、ポインティングデバイス９７、及びクリックボタン９８を備えている。また、第２の本体部９４は、筐体５と、表示画面２１ａを有する表示装置２１とを備えている。図１１にはさらに、フロント面１６の開口部１６ａ、遮光部１６ｂ、及び光透過部１６ｃが示されている。図１１のＰＣ９２も、図１０のテレビジョン装置９１と同様、本実施形態の電子機器の例である。
【０１０１】
なお、本実施形態は、照度センサ７１等の光を検知するセンサを備える電子機器であれば、上記以外の電子機器にも適用可能である。
【０１０２】
以上、本発明の具体的な態様の例を、第１及び第２実施形態により説明したが、本発明は、これらの実施形態に限定されるものではない。
【符号の説明】
【０１０３】
１：テレビジョン装置、２：ドック、３：本体部、４：保持部、
５：筐体、５ａ：第１の筐体部材、５ｂ：第２の筐体部材、
１１：第１の端部、１２：第２の端部、１３：第３の端部、１４：第４の端部、
１６：フロント面、１７：バック面、１８：周面、
１６ａ：開口部、１６ｂ：遮光部（第１領域）、１６ｃ：光透過部（第２領域）、
２１：表示装置、２１ａ：表示画面、２２：メイン回路基板、２３：バッテリ、
２４：ドッキングコネクタ、２５：バイブレーションモジュール、
２６：スイッチモジュール、２７：スロット、２８：カメラモジュール、
２９：マイク、３０：ＬＥＤ、３１、３２、３３、３４、３５：アンテナ、
３６、３７、３８、３９、４０：コネクタ、４１、４２：ボタン、
５０：回路基板、５１：第１のカメラ、５２：第１のコネクタ、
５３：第２のコネクタ、５４：第２のカメラ、５５：フレキシブルプリント回路板、
６１：第１の撮影孔、６２：周音孔、６３：表示孔、６４：第２の撮影孔、
６６：カメラ部、６７：加飾部材、
７０：回路基板、７１：照度センサ、７２：近接センサ、７３：赤外線センサ、
７４：ＬＥＤ、７５、７７：遮光部材、７６、７８：絶縁膜、
８１ａ、８２ａ、８３ａ：第１の側面、８１ｂ、８２ｂ、８３ｂ：第２の側面、
８１ｃ、８２ｃ、８３ｃ：第３の側面、８１ｄ、８２ｄ、８３ｄ：第４の側面、
９１：据え置き型テレビジョン装置、９２：ノートブック型ＰＣ、
９３：第１の本体部、９４：第２の本体部、９５：筐体、９６：キーボード、
９７：ポインティングデバイス、９８：クリックボタン
【図１】
2012216927.tif 000003
【図２】
2012216927.tif 000004
【図３】
2012216927.tif 000005
【図４】
2012216927.tif 000006
【図５】
2012216927.tif 000007
【図６】
2012216927.tif 000008
【図７】
2012216927.tif 000009
【図８】
2012216927.tif 000010
【図９】
2012216927.tif 000011
【図１０】
2012216927.tif 000012
【図１１】
2012216927.tif 000013
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
表示画面を有する表示装置と、
前記表示装置が収容され、前記表示画面が露出した第１の面と、前記第１の面の反対側に位置する第２の面と、ドックに対し着脱可能な第１の端部と、前記第１の端部の反対側に位置する第２の端部と、前記第１の端部と前記第２の端部とを繋ぐ第３の端部と、前記第３の端部の反対側に位置する第４の端部とを有し、前記第１の面を有する第１の筐体部材と、前記第２の面を有する第２の筐体部材とを備える筐体と、
前記筐体内に収容され、前記第１の面側を向いた第１の基板面と、前記第２の面側を向いた第２の基板面とを有する基板と、
前記基板の前記第１の基板面上に配置され、それぞれ前記第１から第４の端部側を向いた第１から第４の側面を有するセンサと、
前記センサの前記第１から第４の側面を取り囲む遮光部材とを備え、
前記第１の筐体部材の前記基板側の面は、
第１の塗装材が塗装された第１領域と、
材料及び濃度の何れか少なくとも一方が前記第１の塗装材と異なるとともに、前記第１の塗装材と色の近い、第２の塗装材が塗装された第２領域とを有し、
前記センサは、前記第２領域と対向する位置に配置されている、
電子機器。
【請求項２】
前記遮光部材は、前記第１の筐体部材上に配置され、前記基板と離間されている請求項１に記載の電子機器。
【請求項３】
前記遮光部材の前記基板側を向いた面は、前記基板の前記第１の基板面上に形成された絶縁膜と対向しており、かつ前記絶縁膜と離間されている請求項２に記載の電子機器。
【請求項４】
前記遮光部材は、前記基板上に配置され、前記第１の筐体部材と離間されている請求項１に記載の電子機器。
【請求項５】
前記遮光部材の前記第１の筐体部材側を向いた面は、前記第１の筐体部材の前記基板側の面上に形成された絶縁膜と対向しており、かつ前記絶縁膜と離間されている請求項４に記載の電子機器。
【請求項６】
前記第２の塗装材は、材料及び濃度の何れか少なくとも一方が前記第１の塗装材と異なるとともに、前記第１の塗装材と同一色である、請求項１から５のいずれか１項に記載の電子機器。
【請求項７】
前記センサは、前記第２の端部に配置されている請求項１から６のいずれか１項に記載の電子機器。
【請求項８】
前記第１の端部に配置されたバイブレータをさらに備える請求項７に記載の電子機器。
【請求項９】
前記第３の端部に配置されたカメラをさらに備え、
前記センサは、前記第３の端部と前記第４の端部との中心線よりも前記第３の端部側に配置されている請求項７又は８に記載の電子機器。
【請求項１０】
前記電子機器は、テレビジョン装置である請求項１から９のいずれか１項に記載の電子機器。
【請求項１１】
筐体と、
前記筐体内に収容された基板と、
前記基板に配置されたセンサと、
前記センサを囲み、前記基板と離間されて前記筐体の内面に設けられた、又は前記筐体の内面と離間されて前記基板に設けられた囲部とを備え、
前記筐体は、
第１の塗装材が塗装された第１領域と、
材料及び濃度の何れか少なくとも一方が前記第１の塗装材と異なるとともに、前記第１の塗装材と色の近い、第２の塗装材が塗装された第２領域とを有し、
前記センサは、前記第２領域と対向する位置に配置されている、
電子機器。